(57)【特許請求の範囲】
【請求項１】
移送機構により移送された所定枚数の紙幣束の長手方向と直交する短手方向に結束帯を巻回して前記紙幣束を結束する紙幣結束機構を有する紙幣処理装置において、
前記紙幣結束機構を、前記移送機構により移送された紙幣束に対して前記紙幣束の長手方向に移動可能に支持する支持部材と、
前記支持部材に支持された前記紙幣結束機構の位置を固定する位置決め手段とを備え、
前記紙幣結束機構が装着されたことを検知する装着検知手段を前記位置決め手段に設け、
前記紙幣束の長手方向における結束帯の結束位置を変更可能にしたことを特徴とする紙幣処理装置。
【請求項２】
移送機構により移送された所定枚数の紙幣束の長手方向と直交する短手方向に結束帯を巻回して前記紙幣束を結束する紙幣結束機構を有する紙幣処理装置において、
前記紙幣結束機構を、前記移送機構により移送された紙幣束に対して前記紙幣束の長手方向に移動可能に支持する支持部材と、
前記支持部材に支持された前記紙幣結束機構の位置を固定する位置決め手段とを備え、
前記位置決め手段および前記支持部材に、前記紙幣結束機構の位置調整用の目印を形成し、
前記紙幣束の長手方向における結束帯の結束位置を変更可能にしたことを特徴とする紙幣処理装置。
【請求項３】
請求項１または請求項２に記載の紙幣処理装置において、
前記結束位置を、前記紙幣束の長手方向における中央部の第１の結束位置と、前記紙幣束の長手方向における端部と前記中央部との中央近傍の第２の結束位置とのいずれかに選択可能にしたことを特徴とする紙幣処理装置。
【請求項４】
請求項１から請求項３のいずれか１項に記載の紙幣処理装置において、
前記支持部材は、レールブラケットまたはスライドレールであることを特徴とする紙幣処理装置。
【発明の詳細な説明】
【技術分野】
【０００１】
本発明は、紙幣を計数し、計数した紙幣を所定の枚数毎に結束帯を巻いて結束する紙幣処理装置に関する。
【背景技術】
【０００２】
従来の紙幣処理装置は、紙幣を投入する投入部と、投入部から搬送された紙幣の金種、正損等の各種の鑑別を行う鑑別部と、鑑別部の鑑別結果に基づいて紙幣を金種、正損からなる種別毎に集積する複数の一時集積部と、一時集積部に集積された所定の結束枚数の紙幣をテープで結束して放出する紙幣結束機構部と、一時集積部に集積された所定の結束枚数の紙幣を紙幣結束機構部へ移送する移送部と、鑑別部で鑑別された紙幣の種別毎の計数結果の表示等を行う表示画面とタッチパネルを有する操作表示部とを備えて構成され、ひとつの一時集積部に集積された紙幣が所定の結束枚数（例えば、１００枚）になったとき、その一時集積部の紙幣を束のまま一時集積部から移送部により紙幣結束機構部へ移送し、紙幣結束機構部では移送された所定の結束枚数の紙幣を移送された状態のままで結束して放出するようにしている（例えば、特許文献１参照）。
【先行技術文献】
【特許文献】
【０００３】
【特許文献１】特開２００２−１９７５０９号公報（段落「０００７」〜段落「００２９」、図１、図８）
【発明の概要】
【発明が解決しようとする課題】
【０００４】
海外向けの紙幣処理装置では、その仕向け地（例えば、中国、韓国、台湾等）では、それぞれの国毎や、金種別、正券または損券別等の紙幣の種類毎に、紙幣を結束するときの結束位置、つまり紙幣の長手方向のひとつの端面から紙幣を結束する紙帯等の結束帯までの距離が異なっており、仕向け地毎や紙幣の種類毎に、紙幣の長手方向における結束位置を変更することが必要になる。また、仕向け地が同じであっても、銀行等の店舗によって希望する結束位置が異なることもある。
【０００５】
しかしながら、上述した従来の技術においては、紙幣を複数の一時集積部に金種、正損からなる種別毎に集積し、ひとつの一時集積部に集積された紙幣が所定の結束枚数（例えば、１００枚）になったとき、その一時集積部の紙幣を束のまま一時集積部から移送部により紙幣結束機構部へ移送し、紙幣結束機構部では移送された所定の結束枚数の紙幣束を移送された状態のままで結束しているため、紙幣束の長手方向における結束位置は一箇所に決まっており、銀行等の店舗の要求に応じて結束帯の結束位置を変更することができないという問題がある。
本発明は、このような問題を解決することを課題とし、紙幣束の長手方向における結束位置を変更できるようにすることを目的とする。
【課題を解決するための手段】
【０００６】
そのため、本発明は、移送機構により移送された所定枚数の紙幣束の長手方向と直交する短手方向に結束帯を巻回して前記紙幣束を結束する紙幣結束機構を有する紙幣処理装置において、前記紙幣結束機構を、前記移送機構により移送された紙幣束に対して前記紙幣束の長手方向に移動可能に支持する支持部材と、前記支持部材に支持された前記紙幣結束機構の位置を固定する位置決め手段とを備え、前記紙幣結束機構が装着されたことを検知する装着検知手段を前記位置決め手段に設け、前記紙幣束の長手方向における結束帯の結束位置を変更可能にしたことを特徴とする。
【発明の効果】
【０００７】
このようにした本発明は、紙幣束の長手方向における結束位置を変更することができるという効果が得られる。
【図面の簡単な説明】
【０００８】
【図１】第１の実施例における紙幣処理装置の構成を示す概略側面図
【図２】第１の実施例における紙幣処理装置の上部の構成を示す概略側面図
【図３】第１の実施例における紙幣処理装置の外観斜視図
【図４】第１の実施例における操作部の拡大平面図
【図５】第１の実施例における集積機構の側面図
【図６】第１の実施例における一時集積部の斜視図
【図７】第１の実施例における移送機構の斜視図
【図８】第１の実施例における紙幣結束機構の側面図
【図９】第１の実施例における紙幣処理装置の制御構成を示すブロック図
【図１０】第１の実施例における紙幣処理装置に搭載された紙幣結束機構の斜視図
【図１１】第１の実施例における紙幣結束機構の搭載位置を決定する機構の説明図
【図１２】第１の実施例における紙幣結束機構の搭載位置を示す説明図
【図１３】第１の実施例における紙幣束の結束位置を示す説明図
【図１４】第２の実施例における紙幣結束機構移動手段の構成を示す側面説明図
【図１５】第２の実施例における紙幣結束機構移動手段の構成を示す平面説明図
【発明を実施するための形態】
【０００９】
以下、図面を参照して本発明による紙幣処理装置の実施例を説明する。
【実施例１】
【００１０】
図１は、第１の実施例における紙幣処理装置の構成を示す概略側面図、図２は第１の実施例における紙幣処理装置の上部の構成を示す概略側面図、図３は第１の実施例における紙幣処理装置の外観斜視図、図４第１の実施例における操作部の拡大平面図である。
図１〜図４において、１は紙幣の投入部で、装置正面の上部に設けられている。２は紙幣の真偽や、金種、正損、表裏等の紙幣の種類の鑑別、及び計数を行うと共に、搬送異常の検出を行う鑑別部で、装置内に設けられている。３は紙幣の搬送路で、この搬送路３については後で説明する。４は紙幣の表裏反転を行う表裏反転部で、装置内の鑑別部２の後段に位置するように設けられている。
【００１１】
５は結束対象外の金種の紙幣を集積するオープンポケットで、装置の上面に設けられており、このオープンポケット５に集積された紙幣はオペレータが直接アクセスできるものとなっている。本実施例では、オープンポケット５は一つであるが、二つ以上あっても良い。
【００１２】
６は集積機構で、本実施例において、この集積機構６には縦１列に４つの一時集積部６ａ〜６ｄが並べて装置内に設けられており、各一時集積部６ａ〜６ｄにそれぞれ予め定められた枚数、例えば本実施例では１００枚の紙幣が集積できるようになっている。なお、本実施例では、各一時集積部６ａ〜６ｄには、鑑別部２で鑑別された金種や紙幣の種類毎の紙幣を集積するものとし、また各一時集積部は、４つに限られることなく、３つ以下または５つ以上であってもよい。
【００１３】
７は前記投入部１の一側に設けられた操作部で、この操作部７には紙幣の計数を指示する計数開始ボタン７ａ、装置の障害復旧時に装置を再稼働させるためのリセットボタン７ｂ、計数及び結束処理の完了を指示する完了ボタン７ｃが設けられている。
８は鑑別部２で金種不明と鑑別されたり、あるいは搬送異常が検知されたりしたリジェクト紙幣を集積するリジェクトポケットで、前記投入部１の上方に設けられており、このリジェクトポケット８に集積された紙幣にオペレータが直接アクセスできるものとなっている。９は移送機構、１０は紙幣結束機構で、両者とも装置内に設けられており、この両者については後で説明する。
【００１４】
１１は紙幣束の放出口、１２は装置正面に設けられた扉で、この扉１２を開けることでオペレータは集積機構にアクセスできるものとなっている。１３は装置上面においてオープンポケット５の後方に位置するように設けられた操作表示部で、ディスプレイとその表面に配置したタッチパネルによって構成されており、オペレータはこの操作表示部１３を操作してモードの指定や、一時集積部６ａ〜６ｄに集積する紙幣の金種や紙幣の種類、集積順序等の設定を行うものとなっている。
【００１５】
また、この操作表示部１３には鑑別部２で鑑別された紙幣の金種や正損及び計数結果等の表示も行われる。ここで搬送路３について説明する。装置内の上部において搬送路３は図２に示したように３ａ〜３ｅから成り、搬送路３ａは投入部１から鑑別部２を経て分岐点Ａにいたるように設けられ、搬送路３ｂは分岐点Ａからリジェクトポケット８にいたるように設けられている。
【００１６】
また、搬送路３ｃは分岐点Ａから表裏反転部４を経て分岐点Ｂにいたるように設けられており、そして搬送路３ｄは分岐点Ｂから図１に示したように装置の下部に伸びて集積機構６の一時集積部６ａ〜６ｄに沿うように設けられ、更に搬送路３ｅは分岐点Ｂからオープンポケット５にいたるように設けられている。尚、分岐点Ａ、Ｂのそれぞれの近傍には紙幣の搬送方向を切替える図示しない切替えブレードが設けられ、後述する制御部により動作制御されるものとなっている。
【００１７】
図５は第１の実施例における集積機構の側面図である。
集積機構６には、前記のように４つの一時集積部６ａ〜６ｄが上下方向に並べて配置されており、これらの一時集積部６ａ〜６ｄは同一の構造を有しているので、以下に一時集積部６ａを例に取って説明する。搬送路３ｄにより搬送されてきた紙幣は、一時集積部６ａの振り分けゲート２７により集積板２１に向かって取り込まれ、これにより一時集積部６ａに侵入した紙幣は叩き車２０により後部が叩かれて集積板２１の上に集積されるものとなっている。
また、以降侵入してくる紙幣に関しては、同様の動作で集積板２１上に集積した紙幣の上に集積される。
【００１８】
図６は第１の実施例における一時集積部の斜視図である。一時集積部６ａに進入した紙幣は、前記叩き車２０により叩かれるだけでなく、一時集積部６ａの一側に設けられた長手整位機構２２により長手方向の位置が揃えられ、更に一時集積部６ａの前端側に設けられた短手整位機構２３により短手方向の位置が揃えられる。
【００１９】
ここで、長手整位機構２２は正逆両方向への回転が可能なモータ２２ａと、このモータに連結部材２２ｂを介して連結された棒あるいは板状等の整位部材２２ｃを備え、進入してくる紙幣を検知する図示しない進入センサの検知信号にタイミングをとってモータ２２ａにより整位部材２２ｃを回動させることにより、紙幣を反対側に設置された基準面２５に押しつけることで整位するものとなっている。
【００２０】
また、短手整位機構２３は、図示しないトーションスプリング等の付勢手段によって付勢された棒状部材により構成され、集積された紙幣を進入口側に付勢することにより整位するものとなっている。集積板２１上に紙幣が集積して行き、その集積高さが図示しない高さセンサにより基準値を越えたことが検知されると、集積板２１は自動的に下降して一時集積部６ａの空間を広げ、この動作により皺や折り目等に起因する紙幣の状態によって集積高さが違っても安定して集積が行えるようになっている。
【００２１】
集積板２１の上方には押さえ板２４が対向するように設けられ、この押さえ板２４は集積板２１上への紙幣の集積中は一時集積部６ａの上端に待機しており、順次取り込まれる紙幣の進入の邪魔にならないようになっている。一時集積部６ａの集積板２１上に予め定められた枚数の紙幣、例えば１００枚の紙幣が集積されると、ゲート振り分け機構２７が紙幣を取り込まない姿勢に動作させ、１０１枚目以降の紙幣は一時集積部６ｂ〜６ｄのいずれかへ集積するように制御される。
【００２２】
紙幣の進入が停止した一時集積部６ａでは集積板２１を上昇させ、押さえ板２４を下降させることにより紙幣を挟持する。この動作により皺等の紙幣の状態によって集積高さの異なる紙幣の厚みを一定にし、移動機構９への受渡しを容易にするようになっている。集積板２１と押さえ板２４により挟持された紙幣は、後述する移動機構９のハンド部が短手整位機構２３側から一時集積部６ａに進入して引き抜かれるようになっている。
尚、一時集積部６ｂ〜６ｄも一時集積部６ａと同様の構造になっているので、一時集積部６ａと同様に紙幣を整位、集積、挟持することが可能である。
【００２３】
図７は第１の実施例における移送機構の斜視図である。この移送機構９は、紙幣クランプ部３０、クランプ部移動手段３１、上下動手段３２を備えている。
紙幣クランプ部３０は上下方向に開閉するクランプ爪３５ａ、３５ｂを有し、この紙幣クランプ部３０はクランプ部移動手段３１上に搭載されていて、一時集積部６ａ〜６ｂからクランプ爪３５ａ、３５ｂで紙幣をクランプして引き抜くときは、クランプ部移動手段３１がクランプ部３０を一時集積部６ａ〜６ｂに対して押し出し、１００枚の紙幣をクランプできる位置まで移動させるようになっている。
【００２４】
クランプ部３０とクランプ部移動手段３１は上下動手段３２により一時集積部６ａ〜６ｄの間を一体に上昇及び下降し、紙幣１００枚の集積が完了した一時集積部６ａ〜６ｂのいずれか１つの前で停止するように制御されるものとなっている。そのため、上下動手段３２のフレームには、一時集積部６ａ〜６ｄのそれぞれの位置に対応してポジションセンサ３３ａ〜３３ｄが配設されており、例えば、一時集積部６ａに集積された紙幣を抜き取るときは、ポジションセンサ３３ａの位置まで上下動手段３２によりクランプ部移動手段３１が引き上げられる。
【００２５】
引き上げられたクランプ部移動機構３１は、クランプ部３０が紙幣を一時集積部６ａから抜き取る間、この位置に固定する必要があるので、ポジションセンサ３３ａで停止した位置で回転可能なストッパカム３４がクランプ部移動手段３１に係止して落下を防止するようになっている。この移送機構９の一連の動作を説明すると、例えば一時集積部６ａに集積された紙幣を引き抜く場合、まず上下動手段３２により紙幣クランプ部３０をクランプ部移動機構３１と共にポジションセンサ３３ａの位置まで上昇させ、ポジションセンサ３３ａがクランプ部移動機構３１を検知した位置で上昇を停止させると同時にストッパカム３４を回転させてクランプ部移動手段３１に係止させる。
【００２６】
これによってクランプ部移動手段３１を一時集積部６ａと対応する位置に固定し、この状態でクランプ移動機構３１により紙幣クランプ部３０のクランプ爪３５ａ、３５ｂを上下方向に開いて１００枚の紙幣をクランプする準備を行い、更にクランプ移動機構３１により紙幣クランプ部３０を一時集積部６ａの方向に押し出す。
【００２７】
押し出された紙幣クランプ機構３０のクランプ爪３５ａ、３５ｂは、一時集積部６ａの短手整位機構２３側に設けられている開口部に挿入され、集積板２１と押さえ板２４により挟持されている紙幣を上下から挟みつけて把持する。次に、集積板２１と押さえ板２４を開くことで、両者による紙幣の挟持を解除すると、これにより１００枚の紙幣が紙幣クランプ部３０に渡されたことになるので、クランプ爪３５ａ、３５ｂで紙幣を把持した紙幣クランプ部３０をクランプ部移動手段３１により引き戻す。
【００２８】
このときクランプ爪３５ａ、３５ｂに把持された紙幣は一時集積部６ａの短手整位機構２３に当たるが、そのまま紙幣クランプ部３０を引き戻すと短手整位機構２３は紙幣の押圧力により付勢手段に抗して整位方向と逆の方向に倒れ、これにより紙幣は一時集積部６ａからスムーズに抜き取られる。そして、紙幣クランプ部３０が元の位置まで引き戻されると、クランプ部移動手段３１に係止してストッパカム３４が回転してその係止が解除され、紙幣を把持した紙幣クランプ部３０と共にクランプ移動手段３１が上下動手段３２により移動経路の最下端に位置する紙幣結束機構１０まで移動し、紙幣クランプ部３０のクランプ爪３５ａ、３５ｂに把持された紙幣が紙幣結束機構１０に引き渡される。
【００２９】
図８は第１の実施例における紙幣結束機構の側面図である。この紙幣結束機構１０は、ローラ及びベルト等から成る搬送手段４０と、結束帯としての紙テープ等による結束用のテープ４１と、印字手段４２と、テープ４１を供給する供給手段４３と、テープ４１を所定の長さに切断するカッター４４と、図示しない結束手段とを備えており、以下のように紙幣を結束する。
【００３０】
まず、紙幣結束機構１０が移送機構９の紙幣クランプ部３０から１００枚の紙幣を一括して紙幣束として受け取り、その紙幣束を、長手方向と直交する短手方向に移動させる紙幣束搬送路で、紙幣束の短手方向にテープ４１を巻き回して結束する位置に搬送する。テープ供給手段４３はテープ４１を前記結束手段に供給し、その際、印字手段４２はテープ４１に結束する紙幣の金種等を、インクリボンを介して印字する。印字されたテープ４１は所定の長さにカッター４４で切断され、この切断されたテープを結束手段が結束位置に搬送された１００枚の紙幣に巻き掛けて結束することにより紙幣束を作る。このようにして作られた紙幣束は、さらに紙幣束搬送路としての搬送手段４０により搬送され、図１に示す放出口１１へ送られる。この紙幣結束機構１０は、紙幣処理装置に対して可動に構成されているが、その構成は後述する。
【００３１】
図９は第１の実施例における紙幣処理装置の制御構成を示すブロック図である。
図９において、５０は本紙幣処理装置全体の動作処理制御を行う制御部、５１ａ〜５１ｄはカウンタで、このカウンタ５１ａ〜５１ｄは一時集積部６ａ〜６ｄに１対１で対応し、例えば一時集積部６ａに集積された紙幣の枚数はカウンタ５１ａにカウントされ、同様に一時集積部６ｂに集積された紙幣の枚数はカウンタ５１ｂ、一時集積部６ｃに集積された紙幣の枚数はカウンタ５１ｃ、一時集積部６ｄに集積された紙幣の枚数はカウンタ５１ｄにカウントされる。
【００３２】
５２は記憶部で、一時集積部６ａ〜６ｄに集積される紙幣の金種、紙幣の種別や、計数された金種毎の紙幣の枚数等を記憶するものである。また、記憶部５２には、紙幣処理装置全体の動作を制御する制御プログラム（ソフトウェア）が記憶され、制御部５０がその制御プログラムに基づいて紙幣処理装置全体の動作を制御する。
このように構成された紙幣処理装置は、図１に示すように紙幣結束機構１０で移送機構９により移送された所定枚数の紙幣束の長手方向と直交する短手方向に結束帯を巻回して紙幣束を結束する。
【００３３】
図１０は第１の実施例における紙幣処理装置に搭載された紙幣結束機構の斜視図であり、図１０（ａ）は紙幣束の長手方向における略中央部（対象となる紙幣の長手方向の長さが異なるため、紙幣の端部（端面）からの距離は同じであるが中央からは少しずれてしまうため）を結束する場合の紙幣結束機構の位置を示し、図１０（ｂ）は紙幣束の長手方向における紙幣の端部（端面）から約４分の１の位置を結束する場合の紙幣結束機構の位置を示している。
【００３４】
図１０（ａ）において、紙幣結束機構１０は、紙幣処理装置の筐体内の移送機構９の下方に収容され、紙幣処理装置の本体側に設けられた二本のスライドレール（図中のスライドレール６３）上に載っており、そのスライドレールに案内されて図中矢印Ｃが示す紙幣処理装置の正面に設けられた放出口１１および扉１２から視て左右方向、すなわち移送機構９により移送された紙幣束の長手方向に移動可能に構成されている。
【００３５】
さらに、位置決め部内の紙幣結束機構１０の取り付け位置を、例えば図１０（ｂ）に示す矢印Ｄが示す方向に移動させて設定可能な範囲から選択し、選択した取り付け位置に合わせて螺子止めすることにより、紙幣結束機構１０を予め設定した位置に固定することができるようになっている。つまり、紙幣結束機構１０の取り付け位置を移送機構９により移送された紙幣束の長手方向に対して任意に設定することができるようになっている。
【００３６】
図１１は第１の実施例における紙幣結束機構の搭載位置を決定する機構の説明図である。
図１１において、紙幣結束機構１０は、スライドレール６３に固定された支持部材としてのレールブラケット６２に固定され、スライドレール６３が紙幣処理装置に取り付けられた図示しないガイドレール等を摺動することにより、図中矢印Ｃが示す紙幣結束機構１０の出し入れ方向、すなわち図１に示す移送機構９により移送された紙幣束に対してその紙幣束の長手方向に移動可能になっている。このように、紙幣結束機構１０は、支持部材としてのレールブラケット６２に、図１に示す移送機構９により移送された紙幣束に対してその紙幣束の長手方向に移動可能に支持されている。
【００３７】
紙幣結束機構１０は、レールブラケット６２に形成された突起６２ａ、６２ｂを紙幣結束機構１０に形成された位置決め孔１０ｂ、１０ｃに嵌め合わせることにより、その位置が決定され、固定螺子６４を位置決め孔１０ｄに通し、レールブラケット６２に設けられた雌螺子６２ｃに締結することでレールブラケット６２に固定される。なお、図示しない反対側のレールブラケット６２にも同様に固定される
このようにして、紙幣結束機構１０は、スライドレール６３により図中矢印Ｃが示す紙幣結束機構１０の出し入れ方向に移動可能になっている。
【００３８】
位置決め手段としての位置決め部材６１は、レールブラケット６２に支持された紙幣結束機構１０の位置を固定するものであり、位置決めポスト６６を図示しない紙幣処理装置本体側の係合部としてのロックレバーに係合させることにより、紙幣結束機構１０を紙幣処理装置に固定するものである。この位置決め部材６１は、紙幣結束機構１０に形成された突起１０ａを長孔６１ｃに嵌め合わせ、長孔６１ａ、６１ｂを貫通させた固定螺子６５ａ、６５ｂにより締結する。
【００３９】
このとき、紙幣結束機構１０に形成された突起１０ａと位置決め部材６１の長孔６１ｃとにより、紙幣束の長手方向の紙幣結束機構１０の可動範囲が限定される。また、位置決め部材６１に形成された位置調整用の位置決め目印エッジ６１ｄと紙幣結束機構１０に形成された位置調整用の目印スリット１０ｅとを合わせることにより、紙幣結束機構１０の紙幣束の長手方向の位置を所望の位置に設定することができる。このようにして、紙幣結束機構１０の紙幣束の長手方向における結束帯の結束位置を変更することができるようになっている。
【００４０】
セット検知スイッチ６７は、紙幣結束機構１０が紙幣処理装置に装着されたことを検知するセンサ等の装着検知手段であり、位置決め部材６１がいずれの位置に固定されていても、紙幣結束機構１０が紙幣処理装置に装着されたことを確実に検知するため、位置決め部材６１に設けられている。
【００４１】
なお、紙幣結束機構１０の紙幣束搬送路は、紙幣結束機構１０の紙幣束の長手方向の可動範囲より広く形成され、すなわち少なくとも紙幣束の長手方向の距離に、紙幣束の長手方向に紙幣結束機構１０が移動可能な距離を加えた距離に相当する幅を有しており、その可動範囲内に紙幣結束機構１０の位置が設定されていれば紙幣束を搬送することができるようになっている。
【００４２】
このように構成された紙幣結束機構１０は、図６に示す一時集積部６ａの一側に設けられた長手整位機構２２により長手方向の位置が揃えられ、更に一時集積部６ａの前端側に設けられた短手整位機構２３により短手方向の位置が揃えられ、移送機構により移送された紙幣束の長手方向の結束位置を任意に設定することができる。
【００４３】
上述した構成の作用について説明する。
図１２は第１の実施例における紙幣結束機構の搭載位置を示す説明図であり、図１２（ａ）は紙幣束の長手方向における略中央部を結束する場合の紙幣結束機構の位置を示し、図１２（ｂ）は紙幣の長手方向における紙幣束の端部（端面）から約４分の１の位置を結束する場合の紙幣結束機構の位置を示している。
【００４４】
図１２（ａ）に示すように、紙幣結束機構１０が位置決めポスト６６から所定の距離Ｄ１を保持して位置決め部材６１に固定されている場合、図１３（ａ）に示すように、紙幣結束機構１０が結束する結束帯７１ａの中心位置は紙幣束７０の長手方向における端部から距離Ｌ１を隔てた中央部である第１の結束位置になる。
【００４５】
一方、図１２（ｂ）に示すように、紙幣結束機構１０が位置決めポスト６６から上述した距離Ｄ１より小さい所定の距離Ｄ２を保持して位置決め部材６１に固定されている場合、図１３（ｂ）に示すように、紙幣結束機構１０が結束する結束帯７１ｂの中心位置は紙幣束７０の長手方向における端部から上述した距離Ｌ１より小さい距離Ｌ２を隔てた、例えば紙幣束７０の長手方向における端部から紙幣束７０の長手方向における長さの４分の１の位置、すなわち紙幣束の長手方向における端部と、第１の結束位置としての中央部との中央近傍の第２の結束位置になる。
【００４６】
このように紙幣結束機構１０の紙幣束の長手方向の位置を所望の位置に設定することにより、紙幣結束機構１０が結束する結束帯の紙幣束の長手方向における端部から距離を自在に選択し、設定することができる。
以上説明したように、第１の実施例では、紙幣結束機構を紙幣処理装置に対して紙幣束の長手方向に複数の取り付け位置を設け、その取り付け位置を可変としたことにより、紙幣束の長手方向の整列基準、すなわち一時集積部の長手整位機構により整位される紙幣束の長手方向の端部に対して、紙幣結束機構を相対的に移動することができ、紙幣束の結束位置を変えることができるという効果が得られる。
【００４７】
また、紙幣結束機構の位置を変えて紙幣束の結束位置を変えるようにしているため、結束位置を変えても放出される紙幣束の位置は変わらず、放出される紙幣束の位置を常に一定に保つことができるという効果が得られる。
【実施例２】
【００４８】
第２の実施例の構成は、第１の実施例で説明した紙幣結束機構の搭載位置を決定する機構に替え、紙幣結束機構を紙幣束の長手方向に移動させるモータやベルト等からなる紙幣結束機構移動手段を備えたものとしている。その第２の実施例の構成を、図１４の第２の実施例における紙幣結束機構移動手段の構成を示す側面説明図、図１５の第２の実施例における紙幣結束機構移動手段の構成を示す平面説明図に基づいて説明する。なお、上述した第１の実施例と同様の部分は、同一の符号を付してその説明を省略する。
【００４９】
図１４および図１５において、紙幣結束機構移動手段８０は、紙幣結束機構１０の位置を検知する位置検知センサ８１と、紙幣結束機構１０が取り付けられた無端状のベルト８２と、ベルト８２を回転させるモータ８３と、位置検知センサ８１からの信号を入力し、モータ８３へ駆動信号を出力する制御部８４とから構成されている。
なお、紙幣結束機構１０は、紙幣処理装置の筐体内の移送機構の下方に収容され、紙幣処理装置の本体側に設けられた支持部材としての二本のガイドレール上に載っており、そのガイドレールに案内されて移送機構により移送された紙幣束の長手方向に移動可能に構成されている。
【００５０】
位置検知センサ８１は、例えば光学式のセンサであり、紙幣結束機構１０に設けられた突出部の通過を紙幣処理装置側に設けられた発光素子と受光素子で検知して紙幣結束機構１０の位置を検知するセンサである。
モータ８３は、支持部材としてのガイドレールに移動可能に支持された紙幣結束機構１０を移動させる駆動手段である。このモータ８３は、正逆回転可能であり、回転角を制御することができるステッピングモータ等で構成され、ベルト８２が張架されたひとつのプーリを回転させてベルト８２に取り付けられた紙幣結束機構１０を紙幣束の長手方向である図中矢印Ｃが示す方向に所定量だけ往復移動させ、またその位置に静止させることができるようになっている。
【００５１】
制御部８４は、制御手段としての中央処理装置等のプロセッサであり、位置検知センサ８１で検出された紙幣結束機構１０の位置に基づいてモータ８３に駆動信号を出力して紙幣結束機構１０を所望の位置へ移動させ、また紙幣結束機構１０を移動させた位置に静止させる制御を行う位置決め手段である。なお、この制御部８４は、図示しないメモリ等の記憶手段を備え、その記憶手段に記憶された制御プログラム（ソフトウェア）や制御情報に基づいて紙幣結束機構１０の移動制御を行うものである。なお、制御部８４は、図９で説明した制御部５０と兼ねるようにしても良い。
【００５２】
このように構成された紙幣結束機構移動手段８０は、ガイドレールで移動可能に支持された紙幣結束機構１０を紙幣束の長手方向における所望の位置へ移動させ、その位置に静止させることができるようになっている。なお、紙幣結束機構１０を紙幣処理装置から引き出すことなく、紙幣束の長手方向における所望の位置へ移動させることができるようになっている。
【００５３】
また、紙幣結束機構１０を紙幣束の長手方向における所望の位置へ移動させるための移動量（モータ８３の回転角）の情報は、図３に示す入力手段としての操作表示部１３でその入力を受付け、記憶手段に記憶させておくものとする。このとき、紙幣結束機構１０の移動量の情報は、鑑別部で鑑別された紙幣の金種毎、正券や損券毎（流通可能な紙幣や流通不可能な紙幣等の紙幣の損傷の度合い毎）、表裏毎、新旧紙幣毎等の紙幣の種類毎に設定可能とし、制御部８４は、移送機構から移送される紙幣の種類に応じ、設定された移動量の情報にしたがって紙幣結束機構１０を紙幣束の長手方向における所望の位置へ移動させるものとする。
【００５４】
このようにして紙幣処理装置は、移送機構から移送される紙幣の種類毎に、紙幣束の長手方向における結束位置を変えることができるようになっている。
なお、紙幣結束機構１０が紙幣処理装置に装着されたことを検知するセンサ等の装着検知手段であるセット検知スイッチは、紙幣結束機構１０を移動可能に支持するガイドレール等に設けられているものとする。
【００５５】
上述した構成の作用について説明する。
図１４および図１５に示す紙幣結束機構移動手段８０の制御部８４は、移送機構から移送される紙幣の種類に応じ、設定された移動量の情報にしたがって紙幣結束機構１０を紙幣束の長手方向における所望の位置へ移動させる。
【００５６】
紙幣結束機構移動手段８０は、第１の実施例における図１２（ａ）と同様に、紙幣結束機構１０を位置決めポスト６６から所定の距離Ｄ１を保持した位置に移動して静止させると、図１３（ａ）に示すように、紙幣結束機構１０が結束する結束帯７１ａの中心位置は紙幣束７０の長手方向における端部から距離Ｌ１を隔てた中央部である第１の結束位置になる。
【００５７】
一方、紙幣結束機構移動手段８０は、第１の実施例における図１２（ｂ）と同様に、紙幣結束機構１０を位置決めポスト６６から上述した距離Ｄ１より小さい所定の距離Ｄ２を保持した位置に移動して静止させると、図１３（ｂ）に示すように、紙幣結束機構１０が結束する結束帯７１ｂの中心位置は紙幣束７０の長手方向における端部から上述した距離Ｌ１より小さい距離Ｌ２を隔てた、例えば紙幣束７０の長手方向における端部から紙幣束７０の長手方向における長さの４分の１の位置、すなわち紙幣束の長手方向における端部と、第１の結束位置としての中央部との中央近傍の第２の結束位置になる。
【００５８】
このように紙幣結束機構移動手段８０により、紙幣結束機構１０を紙幣束の長手方向における所望の位置に設定することにより、紙幣結束機構１０が結束する結束帯の紙幣束の長手方向における端部からの距離を自在に選択し、設定することができる。
【００５９】
以上説明したように、第２の実施例では、第１の実施例の効果に加え、移送機構から移送される紙幣の種類に応じ、設定された移動量の情報にしたがって紙幣結束機構を紙幣束の長手方向における所望の位置へ移動させることにより、紙幣の種類毎に結束位置を変えることができるという効果が得られる。
また、紙幣処理装置の操作表示部でオペレータの入力操作を受付けて、紙幣結束機構移動手段で紙幣結束機構を紙幣束の長手方向における所望の位置に移動させることにより、紙幣結束機構の結束位置を設定する作業を簡易化することができるという効果が得られる。
【符号の説明】
【００６０】
１    投入部
２    鑑別部
３    搬送路
５    オープンポケット
６    集積機構
６ａ〜６ｄ  一時集積部
９    移送機構
１０  紙幣結束機構
６１  位置決め部材
６２  レールブラケット
６３  スライドレール
６６  位置決めポスト
８０  紙幣結束機構移動手段
８１  位置検知センサ
８２  ベルト
８３  モータ
５０、８４  制御部
【図１】
0005810744.tif 000002
【図２】
0005810744.tif 000003
【図３】
0005810744.tif 000004
【図４】
0005810744.tif 000005
【図５】
0005810744.tif 000006
【図６】
0005810744.tif 000007
【図７】
0005810744.tif 000008
【図８】
0005810744.tif 000009
【図９】
0005810744.tif 000010
【図１０】
0005810744.tif 000011
【図１１】
0005810744.tif 000012
【図１２】
0005810744.tif 000013
【図１３】
0005810744.tif 000014
【図１４】
0005810744.tif 000015
【図１５】
0005810744.tif 000016